(57)【要約】【課題】  文字と記号、図形、模様等の背景とを重ね合わせて一体にし、文字と背景とを明確に区別できるようにした印判およびその作製装置の提供。【解決手段】  文字と記号、図形、模様等の背景とを重ね合わせて一体とした印判であって、前記背景がドット或いは平行線（縦線、横線、斜め線）で形成されていて、前記背景のドット或いは平行線は、２．５４ｃｍの幅の中に２５〜２５０個または２５〜２５０本が存在し、かつ２．５４ｃｍ四方の中に集積した場合の濃度が５〜５０％である範囲内の条件を満たしていて、文字の色調の濃度よりも淡い中間色の濃度となっていることを特徴とする浸透印又は彫刻印の印判。さらに、前記文字が、自筆サインであり、前記背景が、社章、校章、都道府県章、家紋、風景の内の１つであることも特徴としている。【選択図】  図１
2012121172.tif 000002
【特許請求の範囲】
【請求項１】
文字と記号、図形、模様等の背景とを重ね合わせて一体とした印判であって、前記記号、図形、模様等の背景がドット或いは平行線（縦線、横線、斜め線）で形成されていて、文字の色調の濃度よりも淡い中間色の濃度となっていることを特徴とする浸透印又は彫刻印の印判。
【請求項２】
前記背景のドット或いは平行線は、２．５４ｃｍの幅の中に２５〜２５０個または２５〜２５０本が存在し、かつ２．５４ｃｍ四方の中に集積した場合の濃度が５〜５０％である範囲内の条件を満たしていることを特徴とする請求項１に記載の浸透印又は彫刻印の印判。
【請求項３】
前記文字が、自筆サインであることを特徴とする請求項１または２に記載の浸透印又は彫刻印の印判。
【請求項４】
前記は背景が、社章、校章、都道府県章、家紋、風景の内の１つであることを特徴とする請求項１〜３のいずれかに記載の浸透印又は彫刻印の印判。
【請求項５】
請求項１〜４のいずれかに記載の印判の印判作製装置であって、文字、および記号、図形、模様等の背景の両方を読み取り、背景はドット或いは平行線（縦線、横線、斜め線）で表す点描画の画像データとし、この読み取られた文字と背景との画像入力データと印面フォームを調整して印面の版下を作成する版下作製手段と、この版下作製手段からの版下データに基づいて印材に印面を加工する印面作製手段を備えていることを特徴とする印判作製装置。
【請求項６】
印面作製手段は、ＮＣ制御されるレーザ加工機或いは電子ビーム加工機であることを特徴とする請求項５に記載の印判作製装置。
【発明の詳細な説明】
【技術分野】
【０００１】
本発明は、浸透印又は彫刻印である印判（スタンプを含む）に係わるものであって、詳しくは、文字と記号、図形、模様等の背景とを重ね合わせて一体とした印判及びその作製装置に関する。
【背景技術】
【０００２】
従来の印判には、つげ材等の木材、ゴム、金属、セラミックス、ガラス、象牙等の非多孔性材料に印面を彫刻して作製された彫刻印、熱可塑性エラストマー等の多孔性印材に印面を彫刻又は光学的に焼付けして作製された浸透印が知られている。
【０００３】
従来、これら彫刻印や浸透印の印判は、文字、記号、図形等の印影を単独で用いることが主体であったが、文字とその背景に記号、図形、模様等を印影とするものがある。
【０００４】
しかし、文字と記号、図形、模様等の背景とを一体にすると、両者の区別が不鮮明となるので、記号、図形、模様等の一部に白抜き部分を設けてそこに文字を印字した印判を用いるのが一般的であった（例えば、特許文献２の図２参照）。
【０００５】
また、家紋と姓名を組み合わせて刻印した印面のはんこが提案されているが（特許文献１参照）、家紋と姓名の構図の構成の配置や家紋の線を細線とする等の工夫をしなければ、姓名或いは家紋の図柄が不鮮明となるという問題がある。
【０００６】
また、これらの印判の作製は、印面の版下の作製工程、印面の作製工程、組立工程がそれぞれ独立の工程であり、しかも、それぞれが煩雑であった。そこで、入力手段、表示手段、記憶手段及び処理手段を備えた版下作製手段により版下を作製し、制御手段とレーザ加工機からなる印面作製手段により前記版下を基にレーザ光線で印材を彫刻して印面を作製し、ホルダーに前記印面を組み込んでなる印判作製装置が提案されている（例えば、特許文献３.参照）。ここで提案されている印判作成装置は、印判を１品ずつ作製することができるため、印判販売業者は既成の印判を大量に保管する必要がなく、経済的な負担の軽減が期待される、
しかし、文字と記号、図形、模様等を背景として一体にするためには、前記特許文献３記載のような印判作成装置によっては困難と考えられる。
【先行技術文献】
【特許文献】
【０００７】
【特許文献１】実用新案登録第３１４４６５７号公報
【特許文献２】特開平６−１３５１１０号公報
【特許文献３】特開２０００−４３３９１号公報
【発明の概要】
【発明が解決しようとする課題】
【０００８】
本発明は、上記実情に鑑みてなされたもので、文字と記号、図形、模様等の背景とを重ね合わせて一体にし、両者を明確に区別できるようにした印判およびその作製装置を提供することを課題とするものである。
【課題を解決するための手段】
【０００９】
彫刻印や浸透印の印判は、文字の印影を単独で用いることが主体であったが、文字に記号、図形、模様等を背景としたものもあった。ところが、文字に記号、図形、模様等を背景（以下単に背景と言うことがある）とする場合には、彫刻印や浸透印の印判は直径が３〜２０ｍｍφの丸形或いは１辺が３〜２０ｍｍの角形で印判の面積が狭いので、この狭い面積の中に文字と背景とを形成することは難しく、かつ、形成しても文字と背景との区別が明確でなくなるという印判特有の問題がある。
【００１０】
そこで、本発明者らは、印判の面積を有効に活用できるように、文字と背景とを分離することなく、両者を重ね合わせて一体とした印判とすることに着目し、文字と背景とが明確に区別できる印判について鋭意研究した。その結果、文字の色調を濃くし（単色とする）、背景の色調をグレー等の淡い中間色とすることで、文字と背景とを重ね合わせて一体とした印判であっても、文字と背景とが明確に区別できることを知見して本発明を完成した。
【００１１】
本発明の要旨は、次の通りである。
【００１２】
（１）  文字と記号或いは図形等の模様の背景とを重ね合わせて一体とした印判であって、前記記号或いは図形等の模様の背景がドット或いは平行線（縦線、横線、斜め線）で形成されていて、文字の色調の濃度よりも淡い色調の濃度となっていることを特徴とする浸透印又は彫刻印の印判。
【００１３】
（２）  前記背景のドット或いは平行線は、２．５４ｃｍの幅の中に２５〜２５０個または２５〜２５０本が存在し、かつ２．５４ｃｍ四方の中に集積した場合の濃度が５〜５０％である範囲内の条件を満たしていることを特徴とする上記（１）に記載の浸透印又は彫刻印の印判。
【００１４】
（３）  前記文字が、自筆サインであることを特徴とする上記（１）または（２）に記載の浸透印又は彫刻印の印判。
【００１５】
（４）  前記は背景が社章、校章、都道府県章、家紋、風景の内の１つであることを特徴とする上記（１）〜（３）のいずれかに記載の浸透印又は彫刻印の印判。
【００１６】
（５）  上記（１）〜（４）のいずれかに記載の印判の印判作製装置であって、文字、および記号、図形、模様等の背景の両方を読み取り、背景はドット或いは平行線（縦線、横線、斜め線）で表す点描画の画像データとし、この読み取られた文字と背景との画像入力データと印面フォームを調整して印面の版下を作成する版下作製手段と、この版下作製手段からの版下データに基づいて印材に印面を加工する印面作製手段を備えていることを特徴とする印判作製装置。
【００１７】
（６）  印面作製手段は、ＮＣ制御されるレーザ加工機或いは電子ビーム加工機であることを特徴とする上記（５）に記載の印判作製装置。
【発明の効果】
【００１８】
文字と背景とが重なって一体となった形態で両者を印判に配設すると、押印時に文字と背景との区別が不鮮明となるが、本発明の印判によれば、背景をドットまたは平行線（縦線、横線、斜め線）とすることで中間色としたので、文字と背景とが明確に区別できる。さらに、自筆文字（サイン）で文字を構成すれば、他に存在しない個性的な印判とすることができ、文字の認証性を高めることができる。さらに、背景も、社章、校章、都道府県章、家紋、風景の内のいずれかとすればその印の持主が背景の社章等の者であることが認識でき認証性を高めることができるという効果を奏する。
【００１９】
また、本発明の印判作製装置は、背景を点描画処理し、この背景と文字とを印面とするものであるから、文字と中間色の背景とを組み合わせた印面を作成することができ、印面作製手段がレーザ加工機、電子ビーム加工機のいずれであっても、再現性の高い印面を作製し得るという効果を奏する。
【図面の簡単な説明】
【００２０】
【図１】自筆サイン等の文字と広島県の県章とを示す例であって、（ａ）は自筆サイン等の文字、（ｂ）は県章を示す図である。
【図２】自筆サイン等の文字と広島県の県章とを組み合わせた複合印影を示す例であって、（ａ）は広島県の県章をドットで表した例で、（ｂ）は広島県の県章を平行線で表した例を示す図である。
【図３】文字の背景に記号を配置した複合印影を示す例であって、（ａ）は文字、（ｂ）は記号、（ｃ）は背景をドットで表した複合印影を示す図である。
【図４】印判に形成されるドット又は線の２．５４ｃｍ（１インチ）幅中の個数または本数と濃度との関係を示す図である。
【図５】本発明の印判行装装置の全体構成を概念的に説明するブロック図である。
【図６】本発明の印判作製装置の動作ブログラムを概念的に説明するフローチャートを示す図である。
【発明を実施するための形態】
【００２１】
以下、本発明の実施の形態について説明する。
【００２２】
彫刻印や浸透印の印判は、文字を印影とするものが通常であるが、文字の版下はパソコン等で前以って登録されている文字を選択して作製されているので、同種の印判が数多く作製される。このため、彫刻印や浸透印の印影は、同種の印判では区別が付きにくく、彫刻印や浸透印の固有の持主を特定することが困難な実情となっている。
【００２３】
そこで、本発明者らは、彫刻印や浸透印の印判として、文字の背景に社章、校章、都道府県章、家紋等の背景を設けることで、印鑑の持主の所属（認証性）を明らかにするようにし、または、風景や人物絵等を背景とすることで、印鑑の持主の独自の認証性が出るようにし、さらに、文字を自筆文字とすれば、印鑑の持主の独自の認証性が更に向上することに着目して研究を進めた。
【００２４】
印判に文字と背景とを配設するためには、印判の面積は狭いので、文字と背景とが重なって一体となった形態で設けることが印判の狭い面積を有効に活用することとなる。ところが、文字と背景とが重なって一体となった形態で両者を印判に配設すると、押印時に文字と背景との区別が不鮮明となって、文字および／または背景の識別が困難になるという問題が生じた。
【００２５】
本発明者らは、上記問題に対して、文字と背景との色調の濃度を変えることで、文字と背景とが重なって一体となった形態でも、両者の区別が明確となり、問題を解決できることを知見した。例えば、印影が黒色の場合には、文字を黒色の単色とし、背景をグレー等の淡い色調の中間色にすればよく、そして、背景の色調を変える手段について検討した結果、印判の背景部分をドット或いは平行線で形成すれば、背景が中間色となり文字と識別できる印判か得られることを見出した。
【００２６】
具体例を図１および図２に基づいて説明する。
【００２７】
図１は、自筆サイン等の文字と広島県の県章とを示す例であって、（ａ）は自筆サイン等の文字、（ｂ）は県章を示す図である。図２は、自筆サイン等の文字と広島県の県章とを組み合わせた複合印影を示す例であって、（ａ）は複合印影の中の広島県の県章をドットで表した例で、（ｂ）は複合印影の中の広島県の県章を平行線で表した例を示す図である。
【００２８】
図１（ａ）に示す文字と図１（ｂ）に示す県章である背景とを一体に重なるように組み合わせて図２（ａ）に示す複合印影とした場合には、県章をドットで構成させることで、県章は中間色の外観となり、文字と背景とが鮮明に区別できるようになった。また、ドットに換えて図２（ｂ）に示すように平行線で県章を構成させても同様の効果が得られる。
【００２９】
このように背景となる塗りつぶし部分をドットまたは平行線で表示することによって、背景を中間色で表すことができ、文字と背景とが外観上鮮明に区別できるようになる。
【００３０】
また、背景が記号の場合には、記号の線となっている部分を所定の幅のドットまたは平行線で表示すればよい。
【００３１】
図３は、文字の背景に記号を配置した場合の例で、（ａ）は文字、（ｂ）は記号を示す図で、（ｃ）は記号をドットで表した複合印影とした例を示す図である。図３に示すように、記号の線で表される部分をドットで複合印影として表示することにより、文字と背景の記号とが鮮明に区別できるようになる。この場合は、線を２〜５個のドットで表すことが好ましい。ドットの個数が１個では、点線と同様になり背景が明りょうでなくなる。また、５個を超えると、線としての認識が困難となるからである。また、記号をドットで表示することに代えて所定の幅の平行線（縦線、横線、斜め線）で表示しても同様である。たとえば、ドットの大きさが０．０５〜０．５ｍｍとすることが好ましいので、所定の幅となる線の長さは０．１〜４．０ｍｍとすることが好ましい。
【００３２】
そして、背景が線と塗りつぶし部とで構成されている場合には、その線および塗りつぶし部をドットまたは平行線を組み合わせて、中間色となるように表示すれば良い。
【００３３】
一般に、中間色等の色調をドットまたは平行線で表す方法としては、白と黒の点或いは線が、ある一定の比率で存在する状態を「ＡＬ／Ｂ％」で表記する方法が知られている。この方法は、２．５４ｃｍ（１インチ）の幅の中にＡ本の線またはＡ個のドットのラインがあり、２．５４ｃｍ（１インチ）四方の中の黒い部分（線またはドットが集合した面積）の濃度がＢ％であることを表す方法である。
【００３４】
例えば、２５Ｌ／３０％で表記される場合の意味は、線の場合は２．５４ｃｍ（１インチ）の幅の中に２５本の線があり、この線を集合させると２．５４ｃｍの４角形中の部分の３０％が線で覆われる濃度となることを意味するものである。また、ドットの場合は、２．５４ｃｍの幅の中に２５個の点があり、線の場合と同様に、ドットを集合させると２．５４ｃｍの４角形中の部分の３０％がドットで覆われる濃度となることを意味するものである。
【００３５】
本発明におけるドット又は線で形成される背景のドットの個数又は線の本数（Ａ）と濃度（Ｂ％）との関係について説明する。
【００３６】
図４は、印判に形成されるドット又は線の２．５４ｃｍ（１インチ）幅中の個数または本数と濃度との関係を示す図である。
【００３７】
浸透印の場合では、スタンプ生地の立体網目構造の平均径は２〜１０μｍであり、その上限の１０μｍの５倍以下とすることが好ましく、このため最大数は、１ｍｍ当りドットが１０個又は線が１０本となり、これを、２．５４ｃｍ（１インチ）当りに換算すると２５０個又は２５０本となる。
【００３８】
また、彫刻印の場合は、マイクロミルの長径が約５０μｍであるから、最小線径および最小ドット径が５０μｍであるから、作製できる最大数は１ｍｍ当りドットが１０個又は線が１０本となり、これを、２．５４ｃｍ（１インチ）当りに換算すると２５０個又は２５０本となる。
【００３９】
したがって、浸透印、彫刻印共に、最大ドット数および最大線数は、２．５４ｃｍ（１インチ）当りに換算すると２５０個又は２５０本、即ち、最大で２５０Ｌとなる。
【００４０】
一方、ドットの個数又は線の本数の最小数は、文字の太さの最小値は１ｍｍであるから、少なくとも背景も１個のドット又は１本の線［２．５４ｃｍ（１インチ）に換算すると２５個のドット又は２５本の線、すなわち２５Ｌとなる］が必要となり、これより少ないと背景の認識ができなくなる。
【００４１】
したがって、本発明では、２．５４ｃｍ（１インチ）当りのドット個数又は線本数を２５〜２５０としたが、作製の容易さから好ましくは５０〜１５０である。
【００４２】
また、濃度については、濃度が５％未満となると背景の色調の中間色が薄くなりすぎて、背景を認識することが困難となる。一方、濃度が５０％を超えると色調が濃くなりすぎて塗りつぶされた状態となり、文字と背景の区別ができなくなる。
【００４３】
したがって、本発明では濃度を５〜５０％としたが、文字と背景との識別を容易とするためには濃度を１５〜３５％とすることが好ましい。一般的な表示に従えば、本発明の中間色のドット個数または線の本数は、「２５〜２５０Ｌ／５〜５０％」となる。
【００４４】
上記に述べたように、本発明では、図４中の本発明範囲であれば、印判に文字と背景とを一体に重ね合わせて形成しても、文字と背景との明確な識別が可能となる。よって、ドットの大きさ、線の太さも任意に調整して、図４の本発明の範囲に入るようにすれば良いが、ドットの直径又は線の太さは図４に含まれる範囲内の０．０５ｍｍ以上としなければ印影としての転写が鮮明とならない。また、０．５ｍｍを超えると文字及び背景が干渉して識別が困難となる。
【００４５】
なお、本発明においては、背景を構成するドットの形状としては、丸形、四角形、六角形、星形等の任意の形状のものを用いることができるが、作製上からは丸形または四角形とすることが好ましい。また、平行線としては、縦線、横線、斜め線の内のいずれであっても良く、文字が明瞭となるように配置を調整すればよい。
【００４６】
また、文字としては、草書、行書、楷書、隷書等の文字を使用することができるが、自筆文字（サイン）で文字を構成すれば、他に存在しない個性的な印判とすることができ、文字の認証性を高めることができ好ましい。さらに、背景も、社章、校章、都道府県章、家紋、風景、人物絵等とすれば認証性を高めることができて好ましい。すなわち、例えば、背景が社章であれば、その印の持主が背景の社章の者であることが認識できるからである。校章、都道府県章、家紋、人物絵、風景等についても同様である。
【００４７】
次いで、本発明の印判を作製するための印判作製装置について図５及び図６を参酌して説明する。
図５は、本発明の印判作製装置の全体構成を概念的に説明するブロック図で、図６は、本発明の印判作製装置の動作ブログラムを概念的に説明するフローナャートを示す図である。
【００４８】
図５.において、印判作製装置は、版下作製手段６と印面作製手段７とを備えている。版下作製手段６は、人力手段８、表示手段９、記憶装置１０、演算装置１１を備えている。入力手段８は、文字または背景の画像データを読み取るスキャナ等の光学読み取り手段と、演算装置１１に対して各種の指令を行わせるキーボードやマウス等からなる。表示手段９は、各種のデータを両面表示する液晶ディスプレイ装置等である。記憶装置１０は、ハードディスク装置等からなり、版下作製プログラム、文字または背景の画像データ、組み版後の版下データを格納するものである。演算装置１１は、マイクロブロセッサ、ＲＯＭ、RＡＭ等を備え、版下プログラムを読み込んで実行処理させたり、入力された画像データを特定又は任意のレイアウトに展開処理したり各種のデータを表示手段９に供給して表示処理を行うものである。
【００４９】
印面作製手段７は、ＮＣ制御装置により制御されるレーザ加工機であり、版下作製手段６により作成された版下データに基づいて印材に印面を彫刻するようになっている。なお、レーザ加工機に替えて電子ビーム加工機又はポジフィルムに照射するキセノンランプを有する焼付け装置であってもよい。
【００５０】
次いで、版下の作製及び印面の作製の一例を図６に示すフローチヤートに従って以下に説明する。
【００５１】
マウス等の入力手段８で版下作成開始の指令をする（Ｓ１）。演算装置１１は記憶装置１０に格納されたプログラムを読み込み、スタンプタイブ選択画面を表示手段９に表示する（Ｓ２）。スタンプタイプ選択両面は、正方形、長方形、円、楕円、小判等の印面形状と、縦書き横書き等の印面方向と、印刷サイズについて所定の条件のものを選択してマウス等で指令する（Ｓ３）。決定された条件を基に記憶装置１０から所定の印面フォームを読み込んで表示手段９に展開する。その際、予め印面フォームと対応するようにパターン化されたレイアウトが記憶装置１０に登録されており、印面形状、印面方向、印面サイズを選択した時点でこれに.適合する幾つかのレイアウトが前記印面フォーム上に重ねて表示手段９に展開され、さらにこれを選択できるようレイアウト選択画面を表示する（Ｓ４）。
【００５２】
次に、レイアウト選択画面の複数のレイアウトから所定のレイアウトを選択してマウス等の人力手段８で決定指令し（Ｓ５）、ブレビュー領域からなる背景入力画面を表示する（Ｓ６）。演算装置７は、選択したレイアウトに準じた背景（記号／画像）の点描画処理（例えばドット処理或いは平行線処理）をして画像データとし（Ｓ７）、背景を入力する（Ｓ８）。
【００５３】
次に、文字入力するためのフィールドと作製される印面のブレビューを表示し、ブレビュー領域からなる文字入力画面を表示する（Ｓ９）。演算装置１１は先に選択したレイアウトに従って文字入力し（Ｓ１０）、文字と背景とを展開して印面を作製し、その印面のプレビューをプレビュー領域に表示する（Ｓ１１）。
【００５４】
次に、文字書体、割符等を修正・変更し調整する場合には調整両面に切り換えた後、調整するキャラクタバーの行を指定し、文字の級数や文字の縦横比率を変更したり、文字をマウス等で直接指定して上下左右に移動させたりして調整し体裁を整.える（Ｓ１２）。再びプレビューを確認し、印面を再調整する必要が無い場合は版下の作製を完了する（S １３）。版下を保存する場合は、保存の命令を入力し、印面を確定すると同時に版下をファイル化して記憶装置１０に格納する。
【００５５】
版下の作製が完了した後、版下データを印面作成手段７の制御装置に供給し、この版下データに基づいて、彫刻印或いは浸透印をレーザ加工機或いは電子ビーム加工機を用いて、再現性の高い印面を作製する。なお、レーザ加工機のレーザビームの径、電子ビーム加工機のビームの径を小さくすれば印面の精度を高めることができる。勿論、作成された版下を記憶装置１０に格納した後、記憶装置１０から版下データの供給を受けてレーザ加工機等を作動しても良い。
【符号の説明】
【００５６】
１  文字
２  県章
３  ドット
４  線
５  記号
６  版下作製手段
７  印面作製手段
８  入力手段
９  表示手段
１０  記憶装置
１１  演算装置
【図１】
2012121172.tif 000003
【図２】
2012121172.tif 000004
【図３】
2012121172.tif 000005
【図４】
2012121172.tif 000006
【図５】
2012121172.tif 000007
【図６】
2012121172.tif 000008